(57)【要約】【課題】ディスク基板に塗布する液状接着剤の厚みムラを抑えて、ディスク表面の平面性精度を向上させた光ディスク。【解決手段】ディスク基板１２の情報記録層が設けられる板面３０の外周側端部に傾斜面部３４を形成し、平面部３６との間に曲面部３８を設ける。ディスク基板１２の板面３０に塗布した接着剤２４は、板面３０端部付近での表面張力による盛り上がりが傾斜面部３４によって下げられるとともに、傾斜面部３４と平面部３６との接続部付近に生じる接着剤２４を薄くしようとする作用が曲面部３８によって緩和され厚みムラが抑えられる。【選択図】　　図２
2004039168.tif 000002
【特許請求の範囲】
【請求項１】
ディスク基板の板面に液状の接着剤が塗布され、その接着剤を介してシートが貼り付けられる構造の光ディスクであって、
前記ディスク基板の板面端部に形成され、ディスク基板の端縁側へ向けて薄肉となるよう傾斜された傾斜面部と、
その傾斜面部と前記板面の平面部との間に設けられ、傾斜面部と前記平面部とをなだらかに結ぶ曲面部と、
を有することを特徴とする光ディスク。
【請求項２】
前記曲面部を含む前記傾斜面部は前記ディスク基板の端縁から内側に０．５ｍｍ〜１ｍｍの範囲とされ、且つ、傾斜面部は前記平面部に対する角度が５°〜３０°の範囲とされ、曲面部は曲率半径が１ｍｍ〜５ｍｍの範囲とされることを特徴とする請求項１記載の光ディスク。
【発明の詳細な説明】
【０００１】
【発明の属する技術分野】
本発明は光ディスクに係り、詳細には、ディスク基板に液状の接着剤を塗布して保護シート等のシートを貼り付ける構造の光ディスクに関する。
【０００２】
【従来の技術】
レーザ光を用いて情報を再生し、又は記録する光ディスクとしては、ＣＤ（Ｃｏｍｐａｃｔ　Ｄｉｓｃ）、ＣＤ−Ｒ（Ｃｏｍｐａｃｔ　Ｄｉｓｃ−ｒｅｃｏｒｄａｂｌｅ）、ＤＶＤ（ｄｉｇｉｔａｌ　ｖｅｒｓａｔｉｌｅ　ｄｉｓｃ）、ＤＶＤ−Ｒ（ｄｉｇｉｔａｌ　ｖｅｒｓａｔｉｌｅ　ｄｉｓｃ−ｒｅｃｏｒｄａｂｌｅ）等が普及している。また近年では、レーザ光に短波長の青紫レーザ光を用い対物レンズの開口数ＮＡを０．８５まで増大することにより、従来のＣＤやＤＶＤに比べて大容量化した光ディスクが提案されている。
【０００３】
この大容量の光ディスクでは、レーザ光の焦点距離が短くなることから、ディスク基板の表面（板面）に設けられた情報記録層を保護するカバー層（レーザ光透過層）を薄くする必要があり、そのため、カバー層には薄膜状の保護シート（例えば、０．１ｍｍ程度の透明樹脂製薄膜フィルム等）を用いている。また、その保護シートは液状の接着剤によりディスク基板に貼り付けているものがあり、その場合、接着剤は、ニードル式やパッド式、スピンコート法等の塗布方法によりディスク基板側に予め塗布している。
【０００４】
【発明が解決しようとする課題】
しかしながら、上記従来の光ディスクでは、図３（Ａ）、（Ｂ）に示されるように、ディスク基板１００の板面１０２は平面状であるため、板面１０２に塗布された液状の接着剤１０４は、板面１０２の外周側端部１０６付近とセンターホール１０８側の内周側端部１１０付近とが表面張力により盛り上がる。例えば、外周側端部付近を拡大した図４（Ａ）に示されるように、外周側端部１０６付近に位置する接着剤１０４は、液体の性質である、分子間引力によって球形化し表面積をできるだけ小さくしようとする傾向（表面張力）により、縦断面視が略半円状となるように盛り上がる（盛り上がり高さ：Δｔ１）。
【０００５】
そしてその厚みムラを生じた接着剤１０４に薄膜フィルム等の保護シート１１２を貼り付けると、保護シート１１２は接着剤１０４の形状に倣って変形し貼り合わせられてしまう。そのため、接着剤硬化後の光ディスクの厚さ寸法には記録密度の精密さと比較して大きなばらつきが生じ、ディスク表面の平面性が悪化して必要となる精度が得られない問題がある。
【０００６】
また、上述した接着剤１０４の厚みムラを抑えるため、図４（Ｂ）に示されるように、ディスク基板１００の板面１０２の外周側端部に、端縁１１４側へ向けて薄肉となるよう傾斜した傾斜面１１６を形成することで、接着剤１０４の端部付近での盛り上がり高さを小さくするようにした技術も知られている（Δｔ１＞Δｔ２）。
【０００７】
しかしこの場合は、板面１０２の平面部と傾斜面１１６との角部１１８付近における圧力が高まって接着剤１０４が平面部側と傾斜面１１６側に延ばされ薄くなる現象が起こる。それにより、角部１１８付近には図示のような凹状部１２０が生じて、接着剤１０４の表面は凹凸する。そのため、この従来例によっても、ディスク表面の平面性（平面度）を所望の精度内に収めるには不十分である。
【０００８】
本発明は上記事実を考慮して、ディスク基板に塗布する液状接着剤の厚みムラを抑えて、ディスク表面の平面性の精度向上を図った光ディスクを提供することを課題とする。
【０００９】
【課題を解決するための手段】
上記目的を達成するために請求項１に記載の発明は、ディスク基板の板面に液状の接着剤が塗布され、その接着剤を介してシートが貼り付けられる構造の光ディスクであって、前記ディスク基板の板面端部に形成され、ディスク基板の端縁側へ向けて薄肉となるよう傾斜された傾斜面部と、その傾斜面部と前記板面の平面部との間に設けられ、傾斜面部と前記平面部とをなだらかに結ぶ曲面部と、を有することを特徴としている。
【００１０】
請求項１に記載の発明では、例えば、情報記録層等を保護するカバー層としてのシート等をディスク基板に貼り付けるため、ディスク基板の板面に液状の接着剤を塗布すると、板面の端部付近では接着剤が表面張力により盛り上がろうとする。このディスク基板の板面端部には、ディスク基板の端縁側へ向けて薄肉となるよう傾斜する傾斜面部が形成され、さらにその傾斜面部と板面の平面部との間に、傾斜面部と平面部とをなだらかに結ぶ曲面部が設けられる。これにより、表面張力による接着剤の盛り上がりが傾斜面部によって下げられるとともに、傾斜面部と平面部との接続部付近に生じる接着剤を薄くしようとする作用（圧力）が曲面部によって緩和される。これにより、接着剤表面の凹凸形状が平面化されて厚みムラが抑えられ、ディスク表面の平面性精度が向上する。
【００１１】
請求項２に記載の発明は、請求項１記載の光ディスクにおいて、前記曲面部を含む前記傾斜面部は前記ディスク基板の端縁から内側に０．５ｍｍ〜１ｍｍの範囲とされ、且つ、傾斜面部は前記平面部に対する角度が５°〜３０°の範囲とされ、曲面部は曲率半径が１ｍｍ〜５ｍｍの範囲とされることを特徴としている。
【００１２】
請求項２に記載の発明では、曲面部を含む傾斜面部がディスク基板の端縁から０．５ｍｍより小さくなると接着剤の盛り上がりが見られ、また１ｍｍを超えると情報を記録する記録領域（情報記録層）への影響が出る。平面部に対する傾斜面部の角度については、５°より小さくなると、平面に近づいて平面と同じように接着剤の盛り上がりが発生してしまい、また３０°より大きくなると、曲面で結んではいても圧力が高まって従来のような接着剤が薄く延ばされる現象（凹状部）が起こる。曲面部の曲率半径については、１ｍｍより小さいと形状が角部に近似して圧力低減作用が小さくなり、また５ｍｍを超えると実質的に傾斜部が形成できなくなってしまう。
【００１３】
したがって、曲面部を含む傾斜面部はディスク基板の端縁から内側に０．５ｍｍ〜１ｍｍの範囲に設け、且つ、平面部に対する傾斜面部の角度を５°〜３０°の範囲とし、曲面部の曲率半径を１ｍｍ〜５ｍｍの範囲とすることで、接着剤の厚みムラを確実に抑えつつ、記録領域への影響もない光ディスクが得られる。
【００１４】
なお、ここで言う曲面部とは、一定半径の円弧による場合、複数の異なる半径の円弧の連結による湾曲面形状の場合、さらには、短直線の連結による近似円弧の場合を含む。この近似円弧は、円弧を所定間隔毎に短円弧に区切り、これらの短円弧を直線で置き換えることで、近似的に円弧と見ることのできる短直線の連続を言う。このような近似円弧による場合でも、短直線の連続によりつくられる複数の微小角部同士が近接して実質的に曲面形状となり、同じ効果が得られる。
【００１５】
【発明の実施の形態】
以下、本発明の実施形態に係る光ディスクについて図面を参照して説明する。
【００１６】
図１には、本実施形態に係る光ディスクが示されている。なお、この光ディスク１０は、従来のＤＶＤ−Ｒ等の光ディスクに対して高密度の情報記録が可能とされたものであり、例えば、従来の光ディスクと比較して、記録再生用のレーザ光として短波長の青紫レーザ光を用いると共に、対物レンズの開口数ＮＡを０．８５まで増大することで、１２ｃｍ径の光ディスク１０に対する片面記録容量が２２．５Ｇバイト程度まで高められている。
【００１７】
光ディスク１０は、図示のように円盤状に形成されたディスク基板１２を備えている。ディスク基板１２は、ＰＣ（ポリカーボネイト）等の樹脂を素材としてモールド成形されたものであり、片側の面が記録面１４とされている。記録面１４には、光反射層１６と光吸収層１８とが順に積層されており、これら光反射層１６及び光吸収層１８により情報記録層２０が構成されている。
【００１８】
さらにディスク基板１２上には、情報記録層２０を被覆して保護する透明なカバー層が設けられている。カバー層を構成する保護シート２２は、ＰＣ（ポリカーボネイト）、又はＰＥＴ（ポリエチレンテレフタレート）等の透明樹脂製の薄膜フィルムからなり、ＵＶ硬化型の接着剤２４によって情報記録層２０を介しディスク基板１２上に貼り合わせられている。なお、この接着剤２４としては、大日本インキ社製の「ＳＤ−６４０」、「ＳＤ−３４７」やスリーボンド社製の「３０７７」等の液状のＵＶ硬化型接着剤を使用することができる。
【００１９】
また、ディスク基板１２の中心部には、光ディスク１０の回転中心である軸心ＳＤと同心的に円形のセンターホール２６が穿設されており、カバー層（保護シート２２）の中心部にも、軸心ＳＤを中心としセンターホール２６と同一内径とされた円形の開口部２８が形成されている。
【００２０】
図２には、本実施形態に係るディスク基板１２の外周側端部付近の縦断面図が示されている。以下、その外周側端部の形状とディスク基板１２に塗布された接着剤２４の作用について説明する。なお、本実施の形態では、ディスク基板１２のセンターホール２６側の端部も外周側端部と同じ形状で同様の作用を生じるようになっているが、その説明は省略する。
【００２１】
図２（Ａ）に示されるように、ディスク基板１２の情報記録層２０が設けられる面側となる板面３０の外周側端部には、ディスク基板１２の端縁３２側へ向けて薄肉となるよう傾斜された傾斜面部３４が形成されており、傾斜面部３４と板面３０の平面部３６との間には、傾斜面部３４と平面部３６とをなだらかに結ぶ断面視が円弧曲線の曲面部３８が設けられている。
【００２２】
またここでは、曲面部３８を含む傾斜面部３４がディスク基板１２の端縁３２から内側に０．５ｍｍ〜１ｍｍの範囲から選択されて形成されており（図中のＬ）、平面部３６に対する傾斜面部３４の角度は５°〜３０°の範囲から選択され（図中のθ）、曲面部３８の半径は１ｍｍ〜５ｍｍの範囲から選択されている（図中のＲ）。
【００２３】
そしてこのディスク基板１２の板面３０には、光ディスク１０の製造過程において前述した接着剤２４が塗布される。本実施形態の接着剤塗布工程では、低速回転するディスク基板１２の板面３０中央部付近に所定量の接着剤２４をディスペンサー等で滴下し供給後、ディスク基板１２を高速回転させその遠心力によって接着剤２４を外側に延展するスピンコート法を用いている。
【００２４】
それにより、接着剤２４はディスク基板１２の板面３０上に膜厚がほぼ均一となるように塗布され、その板面３０の端部付近では、表面張力による球形化現象で盛り上がろうとする。しかしここでは、図２（Ｂ）に示されるように、その接着剤２４の盛り上がりが傾斜面部３４によって下げられるとともに、傾斜面部３４と平面部３６との接続部付近に生じる接着剤２４を薄くしようとする作用が曲面部３８によって緩和される。これにより、接着剤２４表面の凹凸形状が平面化されて厚みムラが抑えられる。
【００２５】
さらに、接着剤塗布後は、接着剤２４を介してディスク基板１２に保護シート２２を貼り合わせるシート貼り合せ工程、保護シート２２側から紫外光を照射し接着剤２４を硬化させる接着剤硬化工程等を経て、光ディスク１０が作製される。
【００２６】
以上説明したように、本実施の形態に係る光ディスク１０では、情報記録層２０を保護する保護シート２２をディスク基板１２に貼り付けるため、ディスク基板１２の板面３０に接着剤２４を塗布すると、その接着剤２４に生じる厚みムラが抑えられて保護シート２２貼り付け後のディスク表面の平面性精度が高められる。
【００２７】
また本実施形態では、曲面部３８を含む傾斜面部３４をディスク基板１２の端縁３２から内側に０．５ｍｍ〜１ｍｍの範囲に設けたことで、０．５ｍｍより小さくなると顕著となる接着剤の盛り上がりが確実に抑えられるとともに、１ｍｍを超えると問題となる記録領域（情報記録層２０）への影響も回避できる。また、平面部３６に対する傾斜面部３４の角度を５°〜３０°の範囲としたことで、５°より小さくなると、傾斜面部３４が平面に近づくことで顕著となる接着剤の盛り上がりが確実に抑えられるとともに、３０°より大きくなると、曲面で結んではいても圧力が高まって従来のような接着剤が薄く延ばされる現象（凹状部）が発生することも確実に抑えられる。また、曲面部３８の半径（曲率半径）を１ｍｍ〜５ｍｍの範囲としたことで、１ｍｍより小さいと曲面部３８の形状が角部に近似して圧力低減作用が小さくなってしまうことが防がれるとともに、５ｍｍを超えると実質的に形成できなくなってしまう傾斜部を形成可能としている（傾斜面部３４）。したがって、接着剤２４の厚みムラを確実に抑えつつ、記録領域（情報記録層２０）への影響もない光ディスク１０が得られる。
【００２８】
以上、本発明を上述した特定の実施形態により詳細に説明したが、本発明はそれに限定されるものではなく、本発明の範囲内にて他の種々の実施形態が可能である。
【００２９】
例えば、本実施の形態では、ディスク基板１２の傾斜面部３４と平面部３６との間に設けた曲面部３８を断面視にて円弧曲線としているが、この曲面部３８は一定半径の円弧による完全な円弧曲面でなくともよく、傾斜面部３４と平面部３６とをなだらかに結ぶ曲線（例えば、複数の異なる半径の円弧の連結による曲線等）による湾曲面形状、さらには、短直線の連結による近似円弧の曲面形状でもよい。また上記湾曲面形状の場合は、複数の曲率半径（曲線と近似する円の半径）を上述した数値の範囲から選択することが可能である。
【００３０】
また、本発明は、光ディスク１０のカバー層を構成する保護シート２２以外のシートを接着する場合にも適用することができる。
【００３１】
【発明の効果】
本発明の光ディスクは上記構成としたので、ディスク基板に塗布する液状接着剤の厚みムラが抑えられてディスク表面の平面性精度が向上し、高品質の光ディスクが得られる。
【図面の簡単な説明】
【図１】本発明の実施形態に係る光ディスクの構成を示す一部破断斜視図である。
【図２】本発明の実施形態に係るディスク基板の外周側端部近傍を示す拡大縦断面図であり、（Ａ）はディスク基板単体を示し、（Ｂ）はディスク基板上に接着剤を塗布した状態を示す。
【図３】従来の保護シート接着における問題点を示す図であり、（Ａ）はディスク基板の平面図を示し、（Ｂ）は接着剤が塗布されたディスク基板に保護シートを貼り付ける状態の縦断面図を示す。
【図４】従来の保護シート接着における問題点を示す図であり、（Ａ）は図３（Ｂ）のディスク基板における外周側端部近傍の拡大縦断面図を示し、（Ｂ）は他の従来例のディスク基板における外周側端部近傍の拡大縦断面図を示す。
【符号の説明】
１０　　　　光ディスク
１２　　　　ディスク基板
２２　　　　保護シート（シート）
２４　　　　接着剤（液状の接着剤）
３０　　　　板面
３２　　　　端縁
３４　　　　傾斜面部
３６　　　　平面部
３８　　　　曲面部
【図１】
2004039168.tif 000003
【図２】
2004039168.tif 000004
【図３】
2004039168.tif 000005
【図４】
2004039168.tif 000006